(57)【特許請求の範囲】
【請求項１】
被加工材を固定する固定ベースと、
前記固定ベースに対して上下動可能に設けられかつその下動により被加工材の加工を行なう丸鋸を回転駆動する駆動モータを備える丸鋸盤本体と、
前記丸鋸を開閉可能に覆うブレードカバーと、
前記丸鋸盤本体に一端部が回動可能に支持されまた前記ブレードカバーに他端部が係合されており、前記丸鋸盤本体の下動に連動して前記ブレードカバーを開方向へ押動するリンクアームと、
を備える丸鋸盤の照明装置であって、
前記被加工材の加工部位を照明する光源と、
前記光源及び電源を含む電気回路と、
前記丸鋸盤本体に前記リンクアームの変位を利用して作動可能に設けられかつ前記電気回路に前記光源を点灯及び消灯可能に組込まれた点滅用スイッチと
を備え、
前記丸鋸盤本体の待機位置からの下動時には前記リンクアームにより作動される前記点滅用スイッチにより前記光源が点灯され、また、前記丸鋸盤本体の待機位置へ移動した状態では前記リンクアームにより前記作動が解除される前記点滅用スイッチにより前記光源が消灯される
ことを特徴とする丸鋸盤の照明装置。
【請求項２】
前記丸鋸盤本体の下動終了位置への下動時に、前記リンクアームによる前記点滅用スイッチの作動が解除される構成としたことを特徴とする請求項１記載の丸鋸盤の照明装置。
【請求項３】
前記被加工材の加工部位付近の明暗を検知し、所定の明るさより暗いときには光源を点灯し、所定の明るさより明るいときには光源を消灯する点灯消灯制御手段を、前記電気回路に組込んだことを特徴とする請求項１または２記載の丸鋸盤の照明装置。
【発明の詳細な説明】
【０００１】
【発明の属する技術分野】
本発明は、被加工材を加工、例えば切断加工する卓上丸鋸盤、スライド丸鋸盤、バンドソー等の電動工具、とくに丸鋸盤の照明装置に関する。
【０００２】
【従来の技術】
従来、電動工具、例えば卓上丸鋸盤においては、被加工材に印されたすみ線を丸鋸の切刃に合わせる作業いわゆるすみ線合わせ作業を薄暗い場所でも容易に行なえるようにするため、被加工材のすみ線の周辺部の加工部位いわゆる切断部位を照明する照明装置を備えたものがある。そして、従来の照明装置では、光源の点灯および消灯にかかる点滅用スイッチを作業者が自ら手動切り換えによりオンオフ操作するものであった。
【０００３】
【発明が解決しようとする課題】
したがって、従来の照明装置によると、光源の点滅切り換えが手動によるため、大変な手間となっていた。したがって、作業者が就業開始時に光源を点灯したまま就業終了まで継続しておくことも多く、電力を浪費することになっていた。
【０００４】
本発明は上記した問題点を解決するためになされたものであって、本発明が解決しようとする課題は、丸鋸盤本体の動作に光源の点滅切り換えを連動させることにより、光源の点滅切り換えの手間を省くとともに、電力の節約を図ることのできる丸鋸盤の照明装置を提供することにある。
【０００５】
【課題を解決するための手段】
上記の目的を達成するために、本発明の請求項１記載の発明は、
被加工材を固定する固定ベースと、
前記固定ベースに対して上下動可能に設けられかつその下動により被加工材の加工を行なう丸鋸を回転駆動する駆動モータを備える丸鋸盤本体と、
前記丸鋸を開閉可能に覆うブレードカバーと、
前記丸鋸盤本体に一端部が回動可能に支持されまた前記ブレードカバーに他端部が係合されており、前記丸鋸盤本体の下動に連動して前記ブレードカバーを開方向へ押動するリンクアームと、
を備える丸鋸盤の照明装置であって、
前記被加工材の加工部位を照明する光源と、
前記光源及び電源を含む電気回路と、
前記丸鋸盤本体に前記リンクアームの変位を利用して作動可能に設けられかつ前記電気回路に前記光源を点灯及び消灯可能に組込まれた点滅用スイッチと
を備え、
前記丸鋸盤本体の待機位置からの下動時には前記リンクアームにより作動される前記点滅用スイッチにより前記光源が点灯され、また、前記丸鋸盤本体の待機位置へ移動した状態では前記リンクアームにより前記作動が解除される前記点滅用スイッチにより前記光源が消灯される
ことを特徴とする丸鋸盤の照明装置である。
このように構成すると、丸鋸盤本体を待機位置から下動させたときには、その丸鋸盤本体の下動に連動するリンクアームにより作動される点滅用スイッチにより光源が自動的に点灯することにより、被加工材の加工部位が照明され、薄暗い場所での被加工材のすみ線合わせ作業が容易に行なえる。
また、被加工材を加工した後に、丸鋸盤本体を待機位置へ移動した状態では、その丸鋸盤本体の上動に連動するリンクアームにより作動が解除される点滅用スイッチにより光源が自動的に消灯することにより、光源を無駄に点灯させないで済む。
このように、丸鋸盤本体の動作に光源の点滅切り換えを連動させたことにより、光源の点滅切り換えの手間を省くとともに電力を節約することができ、丸鋸盤による被加工材の加工作業を能率良く行なうことができる。
また、丸鋸盤本体の上下動に連動するリンクアームの変位を利用して点滅用スイッチが作動及び作動解除されることにより、光源の点灯および消灯を連動させるために新たな専用部品を設けなくて済むことから、コスト低減に有効である。
【０００６】
請求項２記載の発明は、前記丸鋸盤本体の下動終了位置への下動時に、前記リンクアームによる前記点滅用スイッチの作動が解除される構成としたことを特徴とする請求項１記載の丸鋸盤の照明装置である。
このように構成すると、丸鋸盤本体が下動終了位置へ下動されたときには、リンクアームによる点滅用スイッチの作動が解除されるので、点灯する必要のない光源を自動的に消灯することにより、電力を一層節約することができる。このことは、運搬時、保管時等の不使用時に、丸鋸盤本体を下動終了位置に収納しておくタイプの丸鋸盤にあっては、不使用時に光源を自動的に消灯することにより電力の節約に有効である。とくに、バッテリ式の丸鋸盤の場合には、無駄な電池消耗を回避し、バッテリの寿命を延長することができるといった効果が得られる。
【０００７】
請求項３記載の発明は、前記被加工材の加工部位付近の明暗を検知し、所定の明るさより暗いときには光源を点灯し、所定の明るさより明るいときには光源を消灯する点灯消灯制御手段を、前記電気回路に組込んだことを特徴とする請求項１又は２に記載の丸鋸盤の照明装置である。
このように構成すると、被加工材の加工部位付近が明るいときには、点灯する必要のない光源を自動的に消灯することにより、電力をより一層節約することができる。
【０００８】
【発明の実施の形態】
次に、本発明の一実施の形態を図面に基づいて説明する。本実施の形態では、丸鋸盤として周知の卓上丸鋸盤を例示することにし、卓上丸鋸盤の概要を述べた後で照明装置を詳述する。
【０００９】
卓上丸鋸盤の一部破断側面図を示した図１において、卓上丸鋸盤１の固定ベース２上には、ターンテーブル３が回転可能に支持されている。ターンテーブル３の上面には、切断材である被加工材Ｗを位置決めするためのフェンス４が設けられている。なお、ターンテーブル３には、後述する丸鋸１２の下端部の入り込みを許容する開口を有する刃口板（図示省略）が設けられている。
【００１０】
前記ターンテーブル３の後部（図１において左端部）には、可動アーム６が水平軸回りに回動可能に支持されている。可動アーム６は、前記固定ベース２に対し所望の傾動位置（図１では垂直位置）において、レバー付き固止ボルト７により締着されている。
【００１１】
前記可動アーム６の上端部には、前記ターンテーブル３の上面に対向する丸鋸盤本体９が、支軸１０を介して水平軸回りに所定範囲内で回動可能すなわち上下動に支持されている。また、前記可動アーム６と前記丸鋸盤本体９との間には、その丸鋸盤本体９を常には上方位置いわゆる待機位置（図１および図２参照）へ付勢する本体戻し用スプリング（図示省略）が介在されている。
【００１２】
前記丸鋸盤本体９は、一側面（図１において裏面側）に減速機構付き駆動モータ（図示省略）を備えている。その駆動モータの出力軸には、丸鋸１２が交換可能に取り付けられている。丸鋸１２のほぼ上半部は、前記丸鋸盤本体９に設けたブレードケース１４で覆われている。
【００１３】
前記ブレードケース１４には、前記ブレードケース１４から露出する前記丸鋸１２のほぼ下半部を覆うほぼ扇形状のブレードカバー１５が、支持軸１６を介して所定範囲内で回動可能すなわち開閉可能に取り付けられている。なお、前記ブレードケース１４とブレードカバー１５との間には、そのブレードカバー１５を常には図１において左回り方向の閉じ方向いわゆる閉位置（図１および図２参照）へ付勢するカバー戻し用スプリング（図示省略）が介在されている。
【００１４】
前記ブレードカバー１５は、前記丸鋸盤本体９の傾動動作に連動して開閉するもので、次のように構成されている。図２の一部破断側面図に示すように、前記可動アーム６には、リンクアーム１８の基端部が支持ピン１９により回動可能に支持されている。また、前記ブレードカバー１５の裏側には、前記リンクアーム１８の先端が当接可能な当て板２０が設けられている。
【００１５】
前記リンクアーム１８のほぼ中央部には、ほぼ円弧形状のガイド孔１８ａが形成されている。ガイド孔１８ａには、前記ブレードケース１４に設けたガイドピン２２が摺動可能に係合されている。リンクアーム１８は、前記丸鋸盤本体９の下動にともなって、前記支持ピン１９を支点としかつ前記ガイド孔１８ａと前記ガイドピン２２とによる制御によって揺動し、前記当て板２０とともに前記ブレードカバー１５をカバー戻し用スプリングの付勢に抗して図２において左回り方向へ回動させることにより、前記丸鋸１２の下半部の切れ刃部を露出させる（図３および図４の一部破断側面図参照）。
【００１６】
前記丸鋸盤本体９には操作用ハンドル２４が設けられている。操作用ハンドル２４には、前記駆動モータをオンオフするスイッチ（図示省略）を作動するためのスイッチレバー２６、そのスイッチレバー２６のオン状態をロック可能なロックボタン２７が設けられている。
【００１７】
続いて、上記した卓上丸鋸盤１による切断作業について説明する。図１および図２に示す状態において、切断すべき被加工材Ｗをフェンス４で位置決めした状態でターンテーブル３上に載置する。そして、作業者による操作用ハンドル２４の押し下げ操作により、丸鋸盤本体９を図１および図２の待機状態から所定量だけ、本体戻し用スプリングの付勢に抗して下動させる（図３参照）。この状態で、丸鋸１２に対しすみ線が合うように被加工材Ｗの位置調整を行なう。
【００１８】
次に、スイッチレバー２６をオン操作して駆動モータを起動するとともに、操作用ハンドル２４により丸鋸盤本体９を本体戻し用スプリングの付勢に抗してさらに下動する。この丸鋸盤本体９の下動にともなって、回転中の丸鋸１２によって被加工材Ｗの切断作業が行なわれる（図４参照）。
【００１９】
また、前記丸鋸盤本体９の下動にともなって、リンクアーム１８（図２参照）が支持ピン１９を支点としてかつガイド孔１８ａとガイドピン２２とによる制御によって揺動される。すると、リンクアーム１８の先端により当て板２０が押動され、ブレードカバー１５がカバー戻し用スプリングの付勢に抗して開方向（図２において左回り方向）へ回動されることにより、丸鋸１２の下部の切れ刃部が露出され、被加工材Ｗの切断が可能となる（図３参照）。そして、丸鋸盤本体９の下動が終端位置に達する状態では、前記リンクアーム１８が当て板２０にほぼ平行に接触した状態に移行して、その当て板２０を押動しなくなり、ブレードカバー１５の開状態が維持される（図４参照）。なお、丸鋸盤本体９の下動が終端位置に達する状態では、丸鋸１２の下端部の切れ刃部がターンテーブル３の刃口板の開口に入り込む。
【００２０】
そして、被加工材Ｗに対する切断作業を終了して、丸鋸盤本体９の下動を解除すると、前記丸鋸盤本体９は、本体戻し用スプリングの付勢力により待機位置に上動される。これとともに、ブレードカバー１５もカバー戻し用スプリングの付勢力によって閉位置に戻り、リンクアーム１８が原状位置に戻る（図２参照）。
【００２１】
次に、上記した卓上丸鋸盤１に装備された照明装置について詳述する。
図１において、照明装置３０の装置ケース３１は、前記ターンテーブル３の上方に位置する丸鋸盤本体９に前記丸鋸１２の後方に隣接して取り付けられている。照明装置３０を断面図で示した図５において、装置ケース３１の底板３１ａには、被加工材Ｗ（図１参照）の加工部位を照明する電球３３が組込まれている。なお、電球３３は本明細書でいう光源に相当する。
【００２２】
前記装置ケース３１の外側板（図示省略）には、メインスイッチ３４がオンオフ操作可能に取り付けられている。前記装置ケース３１内には、回路基板３６、受光素子３７および点滅用スイッチ３８が組込まれている。
【００２３】
前記受光素子３７は、被加工材Ｗの加工部位付近の明暗を検知可能に配置されている。また、前記点滅用スイッチ３８は、ノーマルクローズドタイプのリミットスイッチであって、作動レバー３８ａの先端部が前記リンクアーム１８の上縁１８ｂに当接されている。図６に部分拡大図で示すように、リンクアーム１８の上縁１８ｂには、ほぼ半円形状の凸部１８ｃが形成されている。
【００２４】
前記点滅用スイッチ３８の作動レバー３８ａは、丸鋸盤本体９の上下動にともって前記リンクアーム１８の凸部１８ｃを含む上縁１８ｂを相対的に摺動することにより、押圧およびその押圧の解除がなされる。
【００２５】
すなわち、丸鋸盤本体９が待機状態（図２参照）にあるときには、図６に示すように、前記リンクアーム１８の凸部１８ｃによって作動レバー３８ａが押し上げられることにより、点滅用スイッチ３８はオフする。続いて、丸鋸盤本体９がすみ線合わせ位置（図３参照）あるいはその位置から下動終了位置付近へ移動するときには、図７に部分拡大図で示すように、前記リンクアーム１８の凸部１８ｃから作動レバー３８ａが外れて前記押し上げが解除されることにより、点滅用スイッチ３８はオンする。続いて、丸鋸盤本体９が切断完了状態（図４参照）になると、図８に部分拡大図で示すように、前記リンクアーム１８の上縁１８ｂが相対的に上動し、作動レバー３８ａが再び押し上げられることにより、点滅用スイッチ３８はオフする。
【００２６】
図５に示される電球３３、メインスイッチ３４、受光素子３７および点滅用スイッチ３８は、図９に示す電気回路に結線されている。図９において、電気回路Ｓには、電球３３を点灯、消灯させるリレー４０が、電源４２およびメインスイッチ３４と接続されている。この電気回路Ｓは、メインスイッチ３４と点滅用スイッチ３８とでオンオフ制御される。前記受光素子３７には、例えば硫化カドミウムＣｄＳが使用されている。なお、受光素子３７は、本明細書でいう点灯消灯制御手段に相当する。
【００２７】
電球３３の点灯の必要が無い場合には、メインスイッチ３４をオフ状態としておけば良い。電球３３を点灯あるいは点灯待ちの状態にしたい場合は、メインスイッチ３４を手動切り換えによりオン操作する。この状態で、前記丸鋸盤本体９が待機状態（図２参照）あるいは下動終了位置へ移動した状態（図４参照）では、前に述べたように点滅用スイッチ３８がオフ状態（図６および図８参照）にあるため、電球３３は点灯しないつまり消灯する。
【００２８】
そして、丸鋸盤本体９がすみ線合わせ位置へ移動した状態（図３参照）あるいはそのすみ線合わせ位置から下動終了位置付近へ移動するときには、前に述べたように点滅用スイッチ３８がオンし、前記リレー４０はトランジスタＴｒのオンオフに基づいてオンオフされる。
【００２９】
このとき、被加工材Ｗの加工部位付近が薄暗く、前記受光素子３７の受光する光量が少ないと、その受光素子３７の抵抗値が大きくなるため、前記トランジスタＴｒはベースに加えられる電圧が高くなることによりオンする。その結果、リレー４０がオンし、電球３３が点灯することにより、被加工材Ｗの加工部位が照明される（図３参照）。
【００３０】
また、被加工材Ｗの加工部位付近が明るく、前記受光素子３７の受光する光量が多いと、その受光素子３７の抵抗値が小さくなるため、前記トランジスタＴｒはベースに加えられる電圧が低下することによりオフになる。その結果、リレー４０がオフし、電球３３が消灯する。
【００３１】
また、前記トランジスタＴｒのベースにかかる電圧を感度調整ボリューム４４で調節することにより、電球３３の点灯および消灯するとき明るさを調整することができる。また、電球３３の光が受光素子３７に当たる場合には、周知のラッチ回路やタイマー回路を組込むことにより、不用な消灯を回避し、点灯を続けることができる。
【００３２】
上記した卓上丸鋸盤１の照明装置３０によれば、卓上丸鋸盤１の丸鋸盤本体９を待機位置からの下動させたときには、その丸鋸盤本体９の下動に連動するリンクアーム１８により作動される点滅用スイッチ３８により電球３３が自動的に点灯することにより、被加工材Ｗの加工部位が照明され、薄暗い場所での被加工材Ｗのすみ線合わせ作業が容易に行なえる。
また、被加工材Ｗを加工した後に、丸鋸盤本体９を待機位置へ移動した状態では、その丸鋸盤本体９の上動に連動するリンクアームにより作動が解除される点滅用スイッチにより電球３３が自動的に消灯することにより、電球３３を無駄に点灯させないで済む。
このように、卓上丸鋸盤１の丸鋸盤本体９の動作に電球３３の点滅切り換えを連動させたことにより、電球３３の点滅切り換えの手間を省くとともに電力を節約することができ、丸鋸盤による被加工材の加工作業を能率良く行なうことができる。
【００３３】
また、電球３３を丸鋸盤本体９に設けたことにより、丸鋸盤本体９の下動時には電球３３が被加工材Ｗに近づいて加工部位を明るく照明することができ、また、丸鋸盤本体９の待機状態ではターンテーブル３上を開放することにより電球３３が被加工材Ｗの出し入れ作業の邪魔にならず、その被加工材Ｗの不測の衝突による電球３３の破損も防止することができる。
【００３４】
また、丸鋸盤本体９の上下動に連動するリンクアーム１８の変位を利用して点滅用スイッチ３８が作動及び作動解除されることにより、電球３３を点灯および消灯する構成としたことにより、電球３３の点灯および消灯を連動させるために新たな専用部品を設けなくて済むことから、コスト低減に有効である。
【００３５】
また、丸鋸盤本体９が下動終了位置へ下動されたときには、リンクアーム１８による点滅用スイッチ３８の作動が解除されるので、点灯する必要のない電球３３を自動的に消灯することにより、電力を一層節約することができる。このことは、運搬時、保管時等の不使用時に、丸鋸盤本体９を下動終了位置に収納しておくタイプの卓上丸鋸盤１にあっては、不使用時に電球３３を自動的に消灯することにより電力の節約に有効である。また、バッテリ式の卓上丸鋸盤１の場合には、無駄な電池消耗を回避し、バッテリの寿命を延長することができるといった効果が得られる。
【００３６】
また、被加工材Ｗの加工部位付近の明暗を検知し、所定の明るさより暗いときには電球３３を点灯し、所定の明るさより明るいときには電球３３を消灯する受光素子３７を、電気回路Ｓに組込んだことにより、被加工材Ｗの加工部位付近が明るいときには、点灯する必要のない電球３３を自動的に消灯することにより、電力をより一層節約することができる。
【００３７】
本発明は前記実施の形態に限定されるものではなく、本発明の要旨を逸脱しない範囲における変更が可能である。例えば、本発明は、木工機械に限らず、金工機械にも適用することが可能である。また、卓上丸鋸盤１には、固定ベースに対し丸鋸盤本体が回動によって上下動可能なものに限らず、固定ベースに対し丸鋸盤本体がスライドによって上下動可能なものも含まれる。また、光源は、丸鋸盤本体に代えて、固定ベースに設けることも可能である。また、電球３３は、発光ダイオードに代えても良い。また、受光素子３７は、フォトダイオードに代えても良い。
【００３８】
【発明の効果】
本発明の丸鋸盤の照明装置によれば、丸鋸盤本体の動作に光源の点滅切り換えを連動させたことにより、光源の点滅切り換えの手間を省くとともに電力を節約することができる。
【図面の簡単な説明】
【図１】  照明装置を破断して示す卓上丸鋸盤の側面図である。
【図２】  卓上丸鋸盤の待機状態を示す一部破断側面図である。
【図３】  卓上丸鋸盤のすみ線合わせ状態を示す一部破断側面図である。
【図４】  卓上丸鋸盤の切断完了状態を示す一部破断側面図である。
【図５】  照明装置の断面図である。
【図６】  図２の点滅用スイッチの周辺部を示す部分拡大図である。
【図７】  図３の点滅用スイッチの周辺部を示す部分拡大図である。
【図８】  図４の点滅用スイッチの周辺部を示す部分拡大図である。
【図９】  照明装置の電気回路図である。
【符号の説明】
１  卓上丸鋸盤
２  固定ベース
９  丸鋸盤本体
１５  ブレードカバー
１８  リンクアーム
３０  照明装置
３３  電球（光源）
３７  受光素子（点灯消灯制御手段）
３８  点滅用スイッチ
Ｓ  電気回路
Ｗ  被加工材
【図１】
0003655124.tif 000002
【図２】
0003655124.tif 000003
【図３】
0003655124.tif 000004
【図４】
0003655124.tif 000005
【図５】
0003655124.tif 000006
【図６】
0003655124.tif 000007
【図７】
0003655124.tif 000008
【図８】
0003655124.tif 000009
【図９】
0003655124.tif 000010